(57)【要約】【課題】  繰り返し使用しても、気密性や摺動性の低下が生じにくい内視鏡を提供すること。【解決手段】  本発明の内視鏡は、内視鏡を封止するのに用いる封止部材の周囲に、難揮発性グリスが配されていることを特徴とする。難揮発性グリスは、フッ素系の材料および／またはシリコーン系の材料を含むものである。難揮発性グリスの２５℃における粘度は、２０００〜２００００ｍＰａ・ｓである。封止部材は、主としてフッ素系の材料で構成されたものである。封止部材は、Ｏリングおよび／またはパッキンである。【選択図】  なし【特許請求の範囲】
【請求項１】
内視鏡を封止するのに用いる封止部材の周囲に、難揮発性グリスが配されていることを特徴とする内視鏡。
【請求項２】
前記難揮発性グリスは、フッ素系の材料および／またはシリコーン系の材料を含むものである請求項１に記載の内視鏡。
【請求項３】
前記難揮発性グリスの２５℃における粘度は、２０００〜２００００ｍＰａ・ｓである請求項１または２に記載の内視鏡。
【請求項４】
前記封止部材は、主としてフッ素系の材料で構成されたものである請求項１ないし３のいずれかに記載の内視鏡。
【請求項５】
前記封止部材は、Ｏリングおよび／またはパッキンである請求項１ないし４のいずれかに記載の内視鏡。
【発明の詳細な説明】
【技術分野】
【０００１】
本発明は、内視鏡に関するものである。
【背景技術】
【０００２】
医療の分野では、消化管等の検査、診断等に、内視鏡が使用されている。
このような内視鏡は、内視鏡を構成する各部位を接続する接続部やネジ部等の摺動部等を有している。内視鏡のこれらの部位には、気密性や摺動性等を向上させる目的で、グリスを配することがある（例えば、特許文献１参照。）。
【０００３】
ところで、内視鏡は、通常、繰り返し使用されるものであるが、体腔内に挿入して使用されること等により、体液等と接触することがある。このため、内視鏡は、その都度、洗浄および滅菌を行う必要がある。
【０００４】
内視鏡に対する滅菌処理としては、通常、高温高圧の水蒸気による水蒸気滅菌や、ＥＯＧ（エチレンオキサイドガス）、過酸化水素系消毒液を用いた滅菌等が用いられている。
【０００５】
しかしながら、従来用いられていたグリスは、前記滅菌処理等により、揮発、変質、劣化し、十分な気密性や摺動性等が得られなくなるという問題点を有していた。このように、気密性や摺動性等が低下することにより、内視鏡の操作性が低下し、検査、診断等に支障をきたす場合があった。
【０００６】
【特許文献１】特開平１１−３１８８１８号公報
【発明の開示】
【発明が解決しようとする課題】
【０００７】
本発明の目的は、繰り返し使用しても、気密性や摺動性の低下が生じにくい内視鏡を提供することにある。
【課題を解決するための手段】
【０００８】
このような目的は、下記（１）〜（５）の本発明により達成される。
（１）  内視鏡を封止するのに用いる封止部材の周囲に、難揮発性グリスが配されていることを特徴とする内視鏡。
【０００９】
これにより、繰り返しの使用による気密性や摺動性の低下を効果的に防止することができる。
【００１０】
（２）  前記難揮発性グリスは、フッ素系の材料および／またはシリコーン系の材料を含むものである上記（１）に記載の内視鏡。
【００１１】
これにより、例えば、オートクレーブ等による高温高圧滅菌をする際に、内視鏡内への蒸気等の浸入等をより確実に防止することができる。また、繰り返しの使用による劣化をより効果的に抑制することができる。
【００１２】
（３）  前記難揮発性グリスの２５℃における粘度は、２０００〜２００００ｍＰａ・ｓである上記（１）または（２）に記載の内視鏡。
これにより、グリスとしての適度な粘性を発揮させることができる。
【００１３】
（４）  前記封止部材は、主としてフッ素系の材料で構成されたものである上記（１）ないし（３）のいずれかに記載の内視鏡。
これにより、内視鏡内部の気密性をより確実に保持することができる。
【００１４】
（５）  前記封止部材は、Ｏリングおよび／またはパッキンである上記（１）ないし（４）のいずれかに記載の内視鏡。
これにより、内視鏡内部の気密性をより確実に保持することができる。
【発明の効果】
【００１５】
本発明によれば、繰り返し使用しても、気密性や摺動性の低下が生じにくい内視鏡を得ることができる。
【発明を実施するための最良の形態】
【００１６】
以下、本発明の内視鏡の好適な実施形態について、添付図面を参照しつつ詳細に説明する。
【００１７】
図１は、本発明の内視鏡を電子内視鏡（電子スコープ）に適用した場合の実施形態を示す全体図、図２は、図１に示す内視鏡が備える処置具挿通チャンネルの一例を示す縦断面図である。なお、以下の説明では、図１中の上側を「基端」、下側を「先端」と言い、図２中の右側を「基端」、左側を「先端」と言う。
【００１８】
まず、図１に基づいて、本発明の内視鏡の構成の一例について説明する。
図１に示す内視鏡１０は、電子内視鏡であり、可撓性を有する長尺の挿入部可撓管１１と、この挿入部可撓管１１の基端側に設けられ、術者が把持して内視鏡１０全体を操作する操作部１２と、挿入部可撓管１１の先端側に設けられ、操作部１２から湾曲状態を遠隔操作可能な湾曲部１３と、光源プロセッサ装置（図示せず）に接続するための光源差込部１４と、操作部１２と光源差込部１４とを接続する接続部可撓管１５とを有している。
【００１９】
この内視鏡１０の内部には、光ファイバー束によるライトガイド、画像信号ケーブル、ケーブル、チューブ類等の内蔵物（図示せず）が配置、挿通されている。
【００２０】
内視鏡１０の使用時には、前記光源プロセッサ装置内の光源から発せられた光が、前記ライトガイドを通り、湾曲部１３の先端より観察部位に照射され、照明する。
【００２１】
湾曲部１３の先端部には、観察部位における被写体像を撮像する図示しない撮像素子（ＣＣＤ）が設けられており、この撮像素子で撮像された被写体像に応じた画像信号は、前記画像信号ケーブルを介して前記光源プロセッサ装置に伝達され、所定の処理がなされた後、モニタ装置（図示せず）に入力される。モニタ装置では、撮像素子で撮像された画像（電子画像）、すなわち動画の内視鏡モニタ画像が表示される。
【００２２】
また、挿入部可撓管１１と操作部１２とは、ほぼ筒状をなす連結筒部３０により接続されている。
【００２３】
この連結筒部３０の内部には、図２に示すように、互いに対向して配置された、金属製の支持板（芯材）３１が設けられている。
【００２４】
各支持板３１の先端部は、連結環（図示せず）を介して挿入部可撓管１１に、また、支持板３１の基端部は、図示しない操作部１２内の親板に固定されており、実質的には、支持板３１および連結環を介して、挿入部可撓管１１と操作部１２とが接続されている。
【００２５】
この支持板３１の外周部には、その全体を覆うカバー部材３２が設けられている。このカバー部材３２は、基端側（操作部１２側）の第１カバー部材３３と先端側（挿入部可撓管１１側）の第２カバー部材３４とを有している。
【００２６】
そして、カバー部材３２と支持板３１との間には、２つのＯリング（封止部材）４１、４２が設けられ、連結筒部３０の内部の気密性が保持されている。なお、これらのＯリング４１、４２は、支持環４３を介して支持板３１に固定されている。
【００２７】
本発明の内視鏡では、例えば、このようなＯリング等の封止部材の周囲に、後に詳述するような難揮発性グリスを配していることに特徴を有している。これにより、繰り返しの使用による気密性や摺動性の低下を効果的に防止することができる。
【００２８】
このようなＯリング（封止部材）４１を構成する材料としては、特に限定されず、例えば、フッ素樹脂、フッ素ゴム等のフッ素系の材料、シリコーン樹脂、シリコーンゴム、フルオロシリコーンゴム等のシリコーン系の材料、アクリルゴム、ニトリルゴム、エチレンプロピレンゴム等が挙げられる。中でも、フッ素系の材料で構成された封止部材を用いるのが好ましい。これにより、内視鏡内部の気密性をより確実に保持することができる。
【００２９】
第１カバー部材３３には、連結筒部３０の長手方向に対して、所定角度傾斜して突出するほぼ筒状をなす突出部３３１が形成されている。
【００３０】
湾曲部１３、挿入部可撓管１１および連結筒部３０の内部には、処置具を挿通する処置具挿通チャンネル１が設けられている。この処置具挿通チャンネル１は、その基端部が突出部３３１の内側に固定され、その先端部が湾曲部１３の先端部内側に固定されている。また、図１に示すように、処置具挿通チャンネル１の基端部には、内視鏡用鉗子栓１６が液密に装着されている。
【００３１】
内視鏡１０は、湾曲部１３および挿入部可撓管１１を体腔内に挿入した状態で、各種の処置具（図示せず）を、処置具挿通チャンネル１の基端側開口１ａから、その内腔部に挿入し、先端側開口１ｂから突出（露出）させて使用することができる。
【００３２】
使用可能な処置具としては、特に限定されないが、例えば、生検鉗子、把持鉗子等の鉗子類、体温センサー等の各種センサー類、心電測定用等の電極、ナイフ、レーザーメス等の切開具類、造影チューブ、洗浄チューブ、ドレナージチューブ等の各種チューブ類（カテーテル類）、破砕プローブ（破石具）、ヒートプローブ、注射針、結紮具、ワイヤー類等の各種の処置具（検査具）等が挙げられる。
【００３３】
この処置具挿通チャンネル１は、基端側から順に配置された、いずれもほぼ筒状をなす処置具挿入シリンダ２、中継部材３、硬性管４および軟性管５を有し、これらが互いに接続されて構成されている。
【００３４】
具体的には、突出部３３１の内面に形成された雌ネジ３３１ａと、処置具挿入シリンダ２の基端側外面に形成された雄ネジ２１とを螺合させることにより、処置具挿入シリンダ（口金）２が突出部３３１に固定され、処置具挿入シリンダ２の先端部内面に形成された雌ネジ２２と、中継部材３の基端部外面に形成された雄ネジ３ａを螺合させることにより、中継部材３が処置具挿入シリンダ２に固定されている。
【００３５】
なお、処置具挿入シリンダ２と突出部３３１との間には、Ｏリング（封止部材）４４が設けられ、中継部材３と処置具挿入シリンダ２との間には、Ｏリング（封止部材）４５が設けられ、連結筒部３０の内部の気密性が保持されている。
Ｏリング４４、４５の周囲にも、前述と同様に、難揮発性グリスが配されている。
【００３６】
これらの処置具挿入シリンダ２および中継部材３は、それぞれ、例えば、アルミニウム、アルミニウム合金、各種ステンレス鋼、炭素鋼、チタン等の各種金属材料で構成されている。
【００３７】
中継部材３の先端には、硬性管４が接合されている。
さらに、硬性管４の先端部には、挿入部可撓管１１や湾曲部１３の変形に対応して変形可能な軟性管５が、クリップ部材（接続部材）６により固定されている。なお、図示しないが、軟性管５の先端部が湾曲部１３の先端部内側に固定されている。
【００３８】
また、中継部材３の側部には、吸引用チューブ７の先端が接続されている。一方、吸引用チューブ７の基端部は、操作部１２に設けられた吸引ボタン７０（図１参照）を構成するほぼ筒状をなすガイドシリンダ（図示せず）内に連通している。この吸引用チューブ７は、基端側の軟性管７２と先端側の硬性管７１とを有している。
【００３９】
硬性管７１は、その先端が中継部材３の側部に接合されている。また、軟性管７２は、その基端が前記ガイドシリンダに接続され、その先端部がクリップ部材（接続部材）７３により硬性管７１に固定されている。
【００４０】
さらに、内視鏡１０は、吸引ボタン７０のガイドシリンダ内と、外部の吸引ポンプ（図示せず）とを連通する流路管（図示せず）を有している。この流路管と吸引用チューブ７とは、吸引ボタン７０の押圧操作により連通され、吸引ボタン７０の押圧を解除すると、連通状態が解除されて流体の通過が阻止される。
【００４１】
一方、流路管と吸引用チューブ７とを連通した状態、すなわち、吸引ボタン７０を押し込んだ状態で吸引ポンプを動作させると、吸引用チューブ７、中継部材３、硬性管４および軟性管５を介して吸引力が作用し、処置具挿通チャンネル１の先端部（先端側開口１ｂ）から体液等の液体を吸引することができる。
【００４２】
＜難揮発性グリス＞
次に、本発明の内視鏡の封止部材の周囲に配される難揮発性グリスについて説明する。
【００４３】
ここで、本明細書中で言う「難揮発性」とは、２０℃における蒸気圧が１．０×１０−４Ｐａ以下のことを言う。
【００４４】
一般に、グリスは、基油（オイル）と、増ちょう剤とを含んでいる。
難揮発性グリスに含まれる基油としては、特に限定されず、例えば、パーフルオロポリエーテル等のフッ素系の基油（材料）、ジメチルシリコーンオイル、メチルフェニルシリコーンオイル等のシリコーン系の基油（材料）等のうち１種または２種以上を組み合わせて用いることができる。これにより、例えば、オートクレーブ等による高温高圧滅菌をする際に、内視鏡内への蒸気等の浸入等をより確実に防止することができる。また、繰り返しの使用による劣化をより効果的に抑制することができる。
【００４５】
基油としてフッ素系の基油を用いた場合、フッ素系の基油としては、パーフルオロポリエーテルを用いるのが好ましい。これにより、難揮発性グリスの高温高圧等の過酷な条件に対する耐久性を向上させることができ、結果として、繰り返しの使用による劣化をより確実に抑制することができる。
【００４６】
上述したような基油は、難揮発性グリス中に、５０ｗｔ％以上含まれているのが好ましく、６０ｗｔ％以上含まれているのがより好ましく、７０〜９５ｗｔ％含まれているのがさらに好ましい。これにより、前述の効果がより顕著なものとなる。これに対して、基油の含有量が前記下限値未満であると、後述する増ちょう剤等の種類等によっては、摺動性が十分に得られない可能性がある。
【００４７】
増ちょう剤としては、特に限定されず、Ｃａ石けん、Ａｌ石けん、Ｎａ石けん等の各種金属石けん、脂肪族ジウレア、芳香族ウレア等のウレア系材料、ポリテトラフルオロエチレン（ＰＴＦＥ）等のフッ素系の材料等のうち１種または２種以上組み合わせて用いることができる。
【００４８】
上述した中でも、増ちょう剤として、フッ素系の材料を用いるのが好ましく、ポリテトラフルオロエチレンを用いるのがより好ましい。これにより、グリスとしての適度な粘性を発揮させつつ、難揮発性グリスの高温高圧等の過酷な条件における耐久性をより向上させることができる。
【００４９】
上述したような増ちょう剤は、難揮発性グリス中に、５〜５０ｗｔ％含まれているのが好ましく、５〜４０ｗｔ％含まれているのがより好ましく、５〜３０ｗｔ％含まれているのがさらに好ましい。これにより、グリスとしての適度な粘性を発揮させつつ、難揮発性グリスの高温高圧等の過酷な条件における耐久性をより向上させることができる。
【００５０】
また、上述した基油および増ちょう剤の組み合わせとしては、特に、基油としてパーフルオロポリエーテルと、増ちょう剤としてポリテトラフルオロエチレンとを組み合わせて用いるのが好ましい。これにより、難揮発性グリスの前述したような特性がより顕著なものとなり、繰り返しの使用による劣化をより確実に抑制することができる。
【００５１】
また、難揮発性グリスには、前述したような基油、増ちょう剤の他に、例えば、含窒素化合物系酸化防止剤やフェノール系酸化防止剤等の各種酸化防止剤、粘着剤、防錆剤等の各種添加剤等を含んでいてもよい。これにより、グリスとしての適度な粘性を発揮させつつ、難揮発性グリスの高温高圧等の過酷な条件における耐久性をより向上させることができる。
【００５２】
以上説明したような難揮発性グリスの２５℃における粘度は、特に限定されないが、２０００〜２００００ｍＰａ・ｓであるのが好ましく、４０００〜１００００ｍＰａ・Ｓであるのがより好ましい。これにより、グリスとしての適度な粘性を発揮させることができる。
【００５３】
なお、封止部材を構成する材料として、前述したようなフッ素系の材料を用いた場合、難揮発性グリスとして、フッ素系の材料を含むものを用いるのが好ましい。これにより、内視鏡内部の気密性をより確実に保持することができるとともに、繰り返しの使用による劣化をより効果的に抑制することができる。
【００５４】
以上、本発明の内視鏡を図示の実施形態について説明したが、本発明は、これに限定されるものではなく、内視鏡を構成する各部は、同様の機能を発揮し得る任意の構成のものと置換することができる。
【００５５】
また、本発明の内視鏡は、図示の電子内視鏡への適用に限定されず、光学内視鏡に適用することができることは、言うまでもない。
【００５６】
また、前述した実施形態では、封止部材として主にＯリングを用いた場合について説明したが、これに限定されず、例えば、封止部材としてパッキンを用いてもよい。
【００５７】
また、前述した実施形態では、この処置具挿通チャンネル１に用いる封止部材について説明したが、これに限定されず、例えば、可撓管連結部等に用いるＯリングやパッキン等に本発明を適用してもよい。
【実施例】
【００５８】
以下、本発明の具体的実施例について説明する。
（実施例１）
まず、主としてパーフルオロポリエーテル（ＰＦＰＥ）とポリテトラフルオロエチレン（ＰＴＦＥ）とで構成された難揮発性グリスと、主としてパーフルオロゴムで構成されたＯリングを用意した。なお、難揮発性グリスにおけるＰＦＰＥの含有量は７０ｗｔ％、ＰＴＦＥの含有量は２５ｗｔ％、残りの成分はその他添加剤であった。また、難揮発性グリスの２０℃における蒸気圧は、５×１０−６Ｐａであった。また、難揮発性グリスの２５℃における粘度は５０００ｍＰａ・ｓであった。
【００５９】
これらを、前記のカバー部材と支持板との間および処置具挿入シリンダと突出部との間に使用し、図２に示すような処置具挿通チャンネルを組み立て、図１に示すような内視鏡を製造した。
【００６０】
（実施例２）
まず、主としてＰＦＰＥとＰＴＦＥとで構成された難揮発性グリスと、主としてパーフロロゴムで構成されたＯリングを用意した。なお、難揮発性グリスにおけるＰＦＰＥの含有量は４８ｗｔ％、ＰＴＦＥの含有量は４５ｗｔ％であった。また、難揮発性グリスの２０℃における蒸気圧は、５×１０−６Ｐａであった。また、難揮発性グリスの２５℃における粘度は１００００ｍＰａ・ｓであった。
【００６１】
これらを、前記のカバー部材と支持板との間および処置具挿入シリンダと突出部との間に使用し、図２に示すような処置具挿通チャンネルを組み立て、図１に示すような内視鏡を製造した。
【００６２】
（実施例３）
まず、主としてシリコーンオイルと金属石けんとで構成された難揮発性グリスと、主としてパーフルオロゴムで構成されたＯリングを用意した。なお、難揮発性グリスにおけるシリコーンオイルの含有量は７０ｗｔ％、金属石けんの含有量は２５ｗｔ％であった。また、難揮発性グリスの２０℃における蒸気圧は、５×１０−６Ｐａであった。また、難揮発性グリスの２５℃における粘度は５０００ｍＰａ・ｓであった。
【００６３】
これらを、前記のカバー部材と支持板との間および処置具挿入シリンダと突出部との間に使用し、図２に示すような処置具挿通チャンネルを組み立て、図１に示すような内視鏡を製造した。
【００６４】
（実施例４）
まず、主としてＰＦＰＥと、ＰＴＦＥとで構成された難揮発性グリスと、主としてシリコーンゴムで構成されたＯリングを用意した。なお、難揮発性グリスにおけるＰＦＰＥの含有量は７０ｗｔ％、ＰＴＦＥの含有量は２５ｗｔ％であった。また、難揮発性グリスの２０℃における蒸気圧は、５×１０−６Ｐａであった。また、難揮発性グリスの２５℃における粘度は５０００ｍＰａ・ｓであった。
【００６５】
これらを、前記のカバー部材と支持板との間および処置具挿入シリンダと突出部との間に使用し、図２に示すような処置具挿通チャンネルを組み立て、図１に示すような内視鏡を製造した。
【００６６】
（実施例５）
まず、主としてシリコーンオイルと金属石けんとで構成された難揮発性グリスと、主としてシリコーンゴムで構成されたＯリングを用意した。なお、難揮発性グリスにおけるシリコーンオイルの含有量は７０ｗｔ％、金属石けんの含有量は２５ｗｔ％であった。また、難揮発性グリスの２０℃における蒸気圧は、５×１０−６Ｐａであった。また、難揮発性グリスの２５℃における粘度は５０００ｍＰａ・ｓであった。
【００６７】
これらを、前記のカバー部材と支持板との間および処置具挿入シリンダと突出部との間に使用し、図２に示すような処置具挿通チャンネルを組み立て、図１に示すような内視鏡を製造した。
【００６８】
（比較例）
まず、主として乳化ミネラルオイルで構成されるグリスと、シリコーンゴムで構成されたＯリングを用意した。
【００６９】
これらを、前記のカバー部材と支持板との間および処置具挿入シリンダと突出部との間に使用し、図２に示すような処置具挿通チャンネルを組み立て、図１に示すような内視鏡を製造した。
【００７０】
［評価］
比較例で得られた内視鏡に対して、１３５℃、２．２気圧の高温高圧水蒸気滅菌を３０分間行った。この操作を、グリスを配した部位より、蒸気が浸入するのが確認されるまで繰り返して行った。
【００７１】
その後、実施例１〜５で製造した内視鏡について、上記と同様に、難揮発性グリスを配した部位より、蒸気が浸入するのが確認されるまで高温高圧水蒸気滅菌を繰り返し行い、以下の５段階の基準に従い、評価した。
【００７２】
Ａ：比較例の操作回数（平均）の４倍の回数（平均）の操作を繰り返し行っても、
内視鏡内への蒸気の浸入は確認されなかった。
【００７３】
Ｂ：比較例の操作回数（平均）の３倍以上４倍未満の回数（平均）の操作を繰り返
し行った時点で、内視鏡内への蒸気の浸入が確認された。
【００７４】
Ｃ：比較例の操作回数（平均）の２倍以上３倍未満の回数（平均）の操作を繰り返
し行った時点で、内視鏡内への蒸気の浸入が確認された。
【００７５】
Ｄ：比較例の操作回数（平均）の１．２倍以上２倍未満の回数（平均）の操作を繰
り返し行った時点で、内視鏡内への蒸気の浸入が確認された。
【００７６】
Ｅ：比較例の操作回数（平均）の１．２倍未満の回数（平均）の操作を繰り返し行
った時点で、内視鏡内への蒸気の浸入が確認された。
これらの結果を表１に示す。
【００７７】
【表１】
2005230463.tif 000002
【００７８】
表１に示すように実施例１〜５の内視鏡では、比較例の内視鏡に比べ、繰り返しの使用に対して優れた気密性を示した。
【００７９】
特に、フッ素系の材料を含む難揮発性グリスと、フッ素系の材料で構成されたＯリングとを用いた実施例１および実施例２の内視鏡では、特に優れた気密性を示した。さらに、難揮発性グリスを構成するＰＦＰＥ、ＰＴＦＥの含有量が好ましい範囲のものである実施例１では、このような効果がより顕著に現れた。
【００８０】
また、各実施例の内視鏡は、いずれも、評価試験の終了後において摺動性に問題なく、優れた耐久性を有するものであった。
【図面の簡単な説明】
【００８１】
【図１】本発明の内視鏡を電子内視鏡（電子スコープ）に適用した場合の実施形態を示す全体図である。
【図２】図１に示す内視鏡が備える処置具挿通チャンネルの一例を示す縦断面図である。
【符号の説明】
【００８２】
１            処置具挿通チャンネル
１ａ          基端側開口
１ｂ          先端側開口
２            処置具挿入シリンダ
２１          雄ネジ
２２          雌ネジ
３            中継部材
３ａ          雄ネジ
４            硬性管
５            軟性管
６            クリップ部材
７            吸引用チューブ
７０          吸引ボタン
７１          硬性管
７２          軟性管
７３          クリップ部材
３０          連結筒部
３１          支持板
３２          カバー部材
３３          第１カバー部材
３３１        突出部
３３１ａ      雌ネジ
３４          第２カバー部材
４１、４２    Ｏリング
４３          支持環
４４、４５    Ｏリング
１０          内視鏡
１１          挿入部可撓管
１２          操作部
１３          湾曲部
１４          光源差込部
１５          接続部可撓管
１６          内視鏡用鉗子栓
【図１】
2005230463.tif 000003
【図２】
2005230463.tif 000004